【手続補正書】
【提出日】平成15年8月11日(2003.8.11)
【手続補正１】
【補正対象書類名】明細書
【補正対象項目名】０００５
【補正方法】変更
【補正の内容】
【０００５】
【発明が解決しようとする課題】
しかしながら、上記構成のＤＶＤプレーヤでは、地域番号が異なる複数の地域に販売される場合に、地域番号ごとに異なる制御用プログラムをＲＯＭに格納している。また、現在世界で広く採用されている放送方式には、日本等が採用するＮＴＳＣ方式と、英国等が採用するＰＡＬ方式があり、放送方式ごとに異なる制御用プログラムをＲＯＭに格納することで、販売先の地域が採用する放送方式に対応している。従って、あるＤＶＤプレーヤを世界中で販売しようとすると、地域番号及び放送方式によって異なる多数の制御用プログラムが必要であった。製造者はこれら制御用プログラムを作製し、検査し、管理しなければならず、これらの作業はＤＶＤプレーヤの製造工程において製造者の大きな負担になっていた。さらに、制御用プログラムのバージョンアップを行う場合には、多数の制御用プログラムの変更、検査が必要となり、商品出荷の時点で幾つかの地域向けのＤＶＤプレーヤの制御用プログラムがバージョンアップできなかった場合には、単一商品の機能が地域別に異なる事態が生じていた。


【手続補正２】
【補正対象書類名】明細書
【補正対象項目名】０００６
【補正方法】変更
【補正の内容】
【０００６】
加えて、上記のように制御用プログラムをＲＯＭに格納させると、販売地域の変更が生じた場合に、製造工程において柔軟かつ早急な対応が困難である。ある地域番号に対応する地域に販売するＤＶＤプレーヤの数が増加した場合に、当該地域に対応した制御用プログラムが格納されたＲＯＭを具えたＤＶＤプレーヤを新たに製造しなければならない。又は、製造されたＤＶＤプレーヤのＲＯＭを交換しなければならない。この場合、ＤＶＤプレーヤの組立て後に、ＲＯＭを交換することなく地域番号及び放送方式の設定が可能であれば、当該地域への販売用に、他の地域番号に対応する地域に販売される予定のＤＶＤプレーヤを容易に割り当てることができ、在庫減少や納期短縮等の点で好ましい。


【手続補正３】
【補正対象書類名】明細書
【補正対象項目名】００１２
【補正方法】変更
【補正の内容】
【００１２】
【発明の実施の形態】
以下、本発明の実施例を図を用いて詳述する。図１は、本発明に係る記録媒体再生装置の概要を示すブロック図である。実施例において記録媒体再生装置（１）はＤＶＤプレーヤであり、記録媒体（２）はＤＶＤディスクである。記録媒体（２）には、動画及び音声等の再生情報以外に、再生制限情報として上述の地域番号が記録されている。


【手続補正４】
【補正対象書類名】明細書
【補正対象項目名】００１６
【補正方法】変更
【補正の内容】
【００１６】
制御部（１４）は、信号処理部（７）等の内部装置から受け取ったデータを処理して動作指令をこれら内部装置に与えることにより、記録媒体再生装置（１）が所定の動作を行うように制御する。図２に示すように、制御部（１４）は、各種演算処理を行うＣＰＵ（３０）と、必要な処理手順等が記述された制御用プログラムが格納されたＲＯＭ（３１）と、処理データの一時格納用のＲＡＭ（３２）とで物理的に構成されている。図１を再度参照すると、制御部（１４）には、再書込可能な不揮発性メモリ（１５）が接続されている。本実施例の場合、不揮発性メモリ（１５）にはＥＥＰＲＯＭを用いており、該ＥＥＰＲＯＭには、記録媒体再生装置（１）が使用される地域に対応した地域番号、及び各種放送方式を示す放送方式情報が格納されている。


【手続補正５】
【補正対象書類名】明細書
【補正対象項目名】００１７
【補正方法】変更
【補正の内容】
【００１７】
また、制御部（１４）には、記録媒体再生装置（１）の操作に必要な各種ボタン等を具えると共に、制御部（１４）へこれらボタンに対応した信号を出力する操作部（１６）が接続されている。記録媒体再生装置（１）は、リモートコントローラ（２１）でも操作が可能であり、操作部（１６）はリモートコントローラ（２１）が送信した光信号を電気信号に変換して制御部（１４）へ出力する。


【手続補正６】
【補正対象書類名】明細書
【補正対象項目名】００１８
【補正方法】変更
【補正の内容】
【００１８】
不揮発性メモリ（１５）を用いた制御部（１４）の処理について説明する。まず、地域番号照合処理について説明する。ビデオデコーダ部（９）は、画像情報信号を解凍すると共に、画像情報信号に添付された記録媒体（２）の地域番号情報を分離して制御部（１４）へ出力する。制御部（１４）は、不揮発性メモリ（１５）から、これに格納された記録媒体再生装置（１）に固有の地域番号を読み出す。そして、制御部（１４）は、記録媒体（２）の地域番号と、不揮発性メモリ（１５）の地域番号とを照合して、これら地域番号が異なる場合には、記録媒体（２）の再生を中止する指令を必要な内部装置に送る。


【手続補正７】
【補正対象書類名】明細書
【補正対象項目名】００２５
【補正方法】変更
【補正の内容】
【００２５】
この状態では、制御部（１４）からビデオプロセッサ（１３）へ画像信号が送られて、図４に示すような設定画面が表示装置（２０）に表示される。この設定画面により、記録媒体再生装置（１）に設定される地域番号及び放送方式が容易に認識可能となり、リモートコントローラ（２１）を用いたこれらの設定が容易になる。


【手続補正８】
【補正対象書類名】明細書
【補正対象項目名】００２６
【補正方法】変更
【補正の内容】
【００２６】
設定画面には、各地域番号に対応した表示領域（４０）が設けられており、製造者は、リモートコントローラ（２１）を操作することにより、画面上のポインタ（４１）を、所望の地域番号を示す表示領域（４０）に移動させる。選択された表示領域（４０）は、選択されたことが明確になるように、他の表示領域（４０）と異なる表示色になる。この状態で、リモートコントローラ（２１）の決定ボタンを押すと、操作部（１６）から制御部（１４）へ当該地域番号の入力がなされる。また、該地域番号が、表示部（４４）に表示される。図４は、地域番号「２」が選択されて、制御部（１４）へ入力された状況を示している。


【手続補正９】
【補正対象書類名】明細書
【補正対象項目名】００２８
【補正方法】変更
【補正の内容】
【００２８】
不揮発性メモリ（１５）には、設定動作の際に記録媒体再生装置（１）に接続された表示装置（２０）が採用する放送方式を示す数値（放送方式情報）が、デフォルト値として格納されている。本実施例ではＮＴＳＣを示す「１」が格納されている。設定画面には、地域番号と同様に各放送方式を示す表示領域（４２）が設けられ、製造者は、ポインタ（４１）を所望の放送方式を示す表示領域上に配置し、リモートコントローラ（２１）の決定ボタンを押すと操作部（１６）から制御部（１４）へ、該放送方式情報の入力がされる。また、この放送方式が表示部（４５）に表示される。制御部（１４）は、設定可能状態において放送方式情報の制御部（１４）への入力の有無を判別し（Ｓ１１０）、入力があった場合には、該放送方式情報を制御部（１４）のＲＡＭ（３２）に格納する（Ｓ１１１）。
図３に示すフローチャートでは、地域番号の入力の後に放送方式の入力が行われているが、これらの順序はどちらでもよい。


【手続補正１０】
【補正対象書類名】明細書
【補正対象項目名】００３１
【補正方法】変更
【補正の内容】
【００３１】
以上のような手順により、記録媒体再生装置（１）の地域番号及び放送方式の設定が行われる。地域番号及び放送方式の設定をするためには、地域番号が未設定、すなわち不使用の番号である「０」が不揮発性メモリ（１５）に記録されていることが条件となっているために、現在使用されている適切な地域番号が不揮発性メモリ（１５）に格納された後には、地域番号及び放送方式の設定はできない。従って、製造者が出荷前に販売地域に対応した地域番号を一旦設定したならば、使用者がこれを変更することはできない。


【手続補正１１】
【補正対象書類名】図面
【補正対象項目名】図４
【補正方法】変更
【補正の内容】
【図４】
2003283992.tif 000001